(57)【特許請求の範囲】
【請求項１】
トイレルーム内に設置されるキャビネットであって、トイレ使用者が腰掛けて移動できる腰掛け部を設け、前記腰掛け部が移動し易いように傾斜可変できることを特徴とするキャビネット。
【請求項２】
前記キャビネットが前記トイレルームの入口から便器の横までの長さを有することを特徴とする請求項１に記載のキャビネット。
【請求項３】
前記腰掛け部に設置し、移動を容易にするための移動用部材を設けたことを特徴とする請求項１または２に記載のキャビネット。
【請求項４】
前記移動用部材の少なくとも表面に、座った際に柔らかい軟質部材を用いたことを特徴とする請求項１から３のいずれかに記載のキャビネット。
【請求項５】
前記腰掛け部が移動容易にするために滑り易い表面部を有していることを特徴とする請求項１から４のいずれかに記載のキャビネット。
【請求項６】
前記滑りやすい表面部が移動用部材の移動を案内するレールであることを特徴とする請求項５に記載のキャビネット。
【請求項７】
前記滑りやすい表面部が移動用部材の移動を容易にするローラであることを特徴とする請求項５に記載のキャビネット。
【請求項８】
前記腰掛け部が、使用しない場合に折りたためることを特徴とする請求項１から７のいずれかに記載のキャビネット。
【発明の詳細な説明】
【０００１】
【発明の属する技術分野】
本発明はトイレルームの入口から便器までの移動を容易にする発明に関するものである。
【０００２】
【従来の技術】
従来、足腰が弱くなった人がトイレを利用する際には、車椅子でトイレルームに入室し、トイレルームの中で便器に乗り移りし易いように車椅子の向きを変え、便器に座るという方法が一般的であった。
また、介護をする人がいる場合には、介護をする人に支えられながらトイレルームに入室し、便器に座らせてもらうようにしていた。
【０００３】
【発明が解決しようとする課題】
車椅子でトイレルームに入室し、トイレルームの中で便器に乗り移りし易いように車椅子の向きを変えことや、また、介護をする人に支えられながらトイレルームに入室することは、トイレルームが広い場合には問題がないが、トイレルームが狭い場合は、不自由を感じたり場合によっては、その行為ができないことがある。
【０００４】
本発明は、上記課題を解決するためになされたもので、本発明の目的は、狭いトイレルームであっても、足腰の弱い人がトイレルームの入口から便器まで移動できるキャビネットを提供することにある。
【０００５】
【課題を解決するための手段】
上記目的を達成するために本発明は、トイレルーム内に設置されるキャビネットに、トイレ使用者が腰掛けて移動できる腰掛け部を設けた。足腰の弱った人が腰掛け部に座って移動できるため、たとえば、入口まで車椅子で入室し、車椅子から腰掛け部に乗り移り便器まで移動することができる。便器を利用した後は、逆に便器から腰掛け部に乗り移り車椅子まで移動し、車椅子に乗り移りトイレルームからでることができるようになる。また、介護人に支えられてトイレルームに入室した場合も、同様に便器まで移動し便器を利用することができる。また、傾斜を可変としたので、たとえば入口から便器に移動する場合は便器側を低くし、便器の利用が終わり入口に戻る際には入口側を低くすることによって、力を要さずに移動できる。傾斜の可変は、たとえば、キャビネットの便器側または入口側に油圧しきのシリンダを内包させ、往復する際にその都度高さを調節すればよい。
【０００６】
本発明の好ましい態様として、前記キャビネットが前記トイレルームの入口から便器の横までの長さを有することを特徴とする。
【０００７】
また、本発明の好ましい態様として、前記腰掛け部に設置し、移動を容易にするための移動用部材を設けることを特徴とする。
移動用部材を設けることで、腰掛け部を移動する際にお尻が摩擦することなく移動できる。
【０００８】
また、本発明の好ましい態様として、前記移動用部材の少なくとも表面に、座った際に柔らかい軟質部材を用いることを特徴とする。
移動用部材の少なくとも表面が軟質材なので、感覚が弱い人の肌を傷めることがない。また、軟質部材は布・スポンジ・軟質樹脂等が利用できる。
【０００９】
また、本発明の好ましい態様として、前記腰掛け部が移動容易にするために滑り易い表面部を有していることを特徴とする。
【００１０】
また、本発明の好ましい態様として、前記滑りやすい表面部が移動用部材の移動を案内するレールであることを特徴とする。
【００１１】
また、本発明の好ましい態様として、前記滑りやすい表面部が移動用部材の移動を容易にするローラであることを特徴とする。
【００１４】
また、本発明の好ましい態様として、前記腰掛け部が、使用しない場合に折りたためることを特徴とする。
トイレルームが狭いため、腰掛け部を利用しない場合は、折りたたんで壁側に沿うようにしておけば、腰掛け部が障害となることがない。
【００１５】
【発明の実施の形態】
本発明の好適な実施の例を図面に基づいて説明する。
図１はトイレルーム１の側壁下部に本発明のキャビネット２が設置されている図である。キャビネット２の上部は利用者が座って移動できる腰掛け部３となっている。また、キャビネット２は入口４から便器５の横方にのびている。
また、キャビネット２は、トイレルーム１で使用する物品などを収納できる。
利用者は、入口４のところでキャビネット２の腰掛け部３に座り、横方向に移動しながら便器５に移ることができる。
【００１６】
さらに移動しやすいように、図２に腰掛け部３に移動用部材６を設置した例を示す。腰掛け部３と移動用部材６とが滑りやすいものとすることによって、移動が楽に行える。また、利用者のお尻が擦れることがない。
この移動用部材６を布・スポンジ・軟質樹脂などの軟質な部材とすることによって、座った際に痛むことなく移動が可能となる。
【００１７】
図３に、腰掛け部３にレール７を設け、さらに移動が容易となる例を示す。
腰掛け部３にレール７を設けたことにより、摩擦抵抗が低くなり移動用部材６が容易に動くようになる。また、レール７により移動用部材６が固定されるので、移動中に腰掛け部３から落ちることがない。
また、腰掛け部３にローラを設けてもよい。
【００１８】
図４に、腰掛け部３が傾斜できる例を示す。キャビネット２に収納され腰掛け部３を傾斜させる手段により腰掛け部３を傾斜させる。傾斜させる手段はたとえば電動式のジャッキなどの昇降機８でよい。便器方向に移動する場合は入口側を上げ、便器から入口にもどる際には便器側を上げればよい。
【００１９】
図５は、トイレルームの両サイドに本発明のキャビネットを設置した例を示す。一方のキャビネットは便器側が低くなっており、もう一方のキャビネットは入口側が低くなっている。便器に移動する場合ともどる場合でキャビネットを使い分ける。
【００２０】
図６は、腰掛け部が折りたためる例を示す。腰掛け部３全体、または、はみ出している部分が折りたためるようになっている。
【００２１】
【発明の効果】
本発明は上記構成により次の効果を発揮する。
トイレルーム内に設置されるキャビネットに、トイレ使用者が腰掛けて移動できる腰掛け部を設けたので、狭いトイレルームであっても、足腰の弱い人がトイレルームの入口から便器まで移動できる。
【図面の簡単な説明】
【図１】本発明を示す一実施例の構成図である。
【図２】本発明を示す一実施例の構成図である。
【図３】本発明を示す一実施例の構成図である。
【図４】本発明を示す一実施例の構成図である。
【図５】本発明を示す一実施例の構成図である。
【図６】
【符号の説明】
１…トイレルーム、２…キャビネット、３…腰掛け部、４…入口、５…便器
６…移動用部材、７…レール、８…昇降機
【図１】
0004432096.tif 000002
【図２】
0004432096.tif 000003
【図３】
0004432096.tif 000004
【図４】
0004432096.tif 000005
【図５】
0004432096.tif 000006
【図６】
0004432096.tif 000007